(57)【要約】【課題】折畳み容器をパレットに載置して運搬する場合の運搬効率の向上を図ることのできる運搬ユニットを提供する。【解決手段】折畳み容器２は、各長辺側側壁部８の上辺部から突出し、長辺側側壁部８の横幅方向に延在する側壁側係止部４１と、底壁構成部４のうち組立状態の折畳み容器２を段積みした場合に下側の折畳み容器２に当接して支持される外周対応部４３よりも内周側の部位から下方に突出する支持部４４と、支持部４４との間に隙間が形成されるように外周対応部４３から下方に突出する底壁側係止部４５とを備える。組立状態の折畳み容器２を段積みした場合には、上側の折畳み容器２の底壁側係止部４５と、支持部４４との間に、下側の折畳み容器２の側壁側係止部４１が挿入される。折畳み容器２をパレット３に載置した場合に、パレット３の載置面３４の外周部から上方に突出する外周突部３６の上方に底壁側係止部４５が配置可能に構成されている。【選択図】      図１
2019085155.tif 000002
【特許請求の範囲】
【請求項１】
平面視略矩形状をなす底壁部、及び、前記底壁部の各側辺部に沿ってそれぞれ上方に突出する土台部を具備する底壁構成部と、
前記底壁構成部の前記各土台部に対して、前記各土台部の上方に立設される起立位置と、前記底壁部の上方に寝かされる寝かせ位置との間を回動変位可能に連結された側壁部とを備える折畳み容器と、
複数の柱部と、前記複数の柱部の上端部間を連結する上デッキとを具備し、前記柱部、及び、前記上デッキの上面によって前記折畳み容器を載置可能な載置面が構成されるパレットと
を備える運搬ユニットにおいて、
前記パレットは、前記載置面の外周部から上方に突出し、前記載置面に載置された前記折畳み容器の脱落を防止するための外周突部を備え、
前記折畳み容器は、少なくとも全ての前記側壁部を前記起立位置とさせた組立状態にある前記折畳み容器同士を上下に積み重ね可能に構成され、
前記側壁部のうち少なくとも相対する一対の前記側壁部は、当該側壁部の上辺部から上方に突出し、当該側壁部の横幅方向に沿って延在する側壁側係止部を備え、
前記底壁部は、前記底壁部のうち前記組立状態にある前記折畳み容器同士を積み重ねた場合に下側の前記折畳み容器の前記側壁部の上辺部に当接して支持される部位である外周対応部よりも内周側の部位から下方に突出する支持部を備え、
前記底壁構成部は、前記側壁側係止部が設けられた前記側壁部と連結されている前記土台部の下方において、前記支持部との間に隙間が形成されるようにして前記外周対応部から下方に突出する底壁側係止部を備え、
前記組立状態にある前記折畳み容器同士を積み重ねた場合に、上側の前記折畳み容器の前記底壁側係止部と、前記支持部との間の隙間に、下側の前記折畳み容器の前記側壁側係止部が挿入される構成であって、
前記折畳み容器を前記パレットに載置した場合に、前記折畳み容器の前記底壁側係止部のうち、前記パレットの周方向において前記外周突部が設けられている範囲に対応して設置される前記底壁側係止部は、前記外周突部の上方に配置可能に構成されていることを特徴とする運搬ユニット。
【請求項２】
前記底壁構成部は、前記側壁側係止部が設けられた前記側壁部と連結されている前記土台部のうち、少なくとも下方位置に前記底壁側係止部が設けられている範囲において、前記土台部の内側面と、前記底壁部の上面との間を斜めに連結する傾斜壁を備えていることを特徴とする請求項１に記載の運搬ユニット。
【請求項３】
前記底壁部は、前記傾斜壁の下端部に隣接する部位において、前記底壁部の一般部よりも厚みが大きい厚底部を備えていることを特徴とする請求項２に記載の運搬ユニット。
【発明の詳細な説明】
【技術分野】
【０００１】
本発明は、物品を収容する折畳み容器と、折畳み容器を載置可能なパレットとを備える運搬ユニットに関するものである。
【背景技術】
【０００２】
従来、物品の運搬等に使用される容器として、略矩形状をなす底壁部、及び、該底壁部の各側辺部に沿ってそれぞれ上方に突出する土台部を具備する底壁構成部と、各土台部に対してそれぞれ回動可能に連結された側壁部とを備え、上方に開口する箱型に組立可能に構成されるとともに、各側壁部を底壁部の上方に倒して折畳むことのできる折畳み容器が知られている。
【０００３】
また、折畳み容器には、折畳み容器同士を安定的に積み重ねる（段積みする）ことができるように構成されているものもある。より具体的には、底壁部に対し、組立状態にある折畳み容器を段積みした場合には、上側の折畳み容器の底壁構成部のうち外周側の部位（以下、「外周対応部」と称する）が、下側の折畳み容器の側壁部の上辺部に当接して支持されるようになっている。さらに、底壁部は、外周対応部よりも内周側の部位から下方に突出する支持部を備えている。そして、組立状態にある折畳み容器を段積みした場合には、上側の折畳み容器の支持部が、下側の折畳み容器の側壁部の内周側に挿入される（略嵌合する）ように構成されている。
【０００４】
さらに、相対する一対の長辺側側壁部の上辺部から上方に突出し、当該長辺側側壁部の横幅方向に沿って延在する側壁側係止部を設ける一方で、底壁部の長側辺部に対応する外周対応部から下方に突出する底壁側係止部を支持部との間に隙間が形成されるようにして設けるといった技術がある（例えば、特許文献１等参照。）。かかる折畳み容器を組立て状態として段積みした場合には、上側の折畳み容器の底壁側係止部と、支持部との間の隙間に、下側の折畳み容器の側壁側係止部が挿入される。これにより、上側の折畳み容器の底壁側係止部と、支持部とによって、下側の折畳み容器の側壁側係止部の変位が規制されることとなり、下側の折畳み容器の側壁部が折畳み容器の内外周方向に傾倒変位したり、変形したりしてしまうといった事態を抑止することができる。
【０００５】
また、折畳み容器の段積み作業に際して、組立状態にある折畳み容器に対し、その上側に載せた折畳み容器の水平方向における相対位置がずれた場合には、上側に載せた折畳み容器を、下側の折畳み容器の側壁部の上辺部に滑らせるようにして、相対位置が合致するまでスライドさせる（スライドスタックする）といったことが行われる。このとき、上記のように、上側の折畳み容器の底壁側係止部と、支持部との間の隙間に、下側の折畳み容器の側壁側係止部が挿入された状態とされることにより、スライドスタックをよりスムースかつ確実に行うことができるようになっている。
【０００６】
加えて、複数の折畳み容器をまとめて運搬等する場合にパレットが使用されることもある。一般に、パレットは、複数の柱部と、当該複数の柱部の上端部間を連結する上デッキとを備え、柱部間にはフォークリフトのフォーク等を差込み可能なフォーク差込み部が設けられている。さらに、パレットの上面の外周部から上方に突出し、積載物の脱落を防止するための外周突部を設けるといった技術がある（例えば、特許文献２等参照。）。
【先行技術文献】
【特許文献】
【０００７】
【特許文献１】特開２００１−３３５０２９号公報
【特許文献２】特開２００３−１７０９４２号公報
【発明の概要】
【発明が解決しようとする課題】
【０００８】
ところで、上記特許文献１の折畳み容器を上記特許文献２のようなパレットに載置する場合、折畳み容器の底壁側係止部の外側面が、パレットの外周突部の内周側面と対向して当接可能に相対配置される。特に、底壁側係止部は、支持部との間に側壁側係止部を挿入可能とする隙間を形成する必要がある等の理由から、底壁側係止部の外側面は、底壁部を含む底壁構成部の外側面と面一となるように構成されている。このような構成により、折畳み容器をパレットの外周側に寄せて載置したとしても、折畳み容器の外側面は、パレットの外周面よりも内周側に位置することとなる。
【０００９】
ここで、パレットを使用して折畳み容器を運搬・保管する場合のスペース効率を鑑みると、パレットに載置された折畳み容器の外側面が、パレットの外周面よりも内周側に位置することにより、パレットの上方のスペースを有効利用できていないことが懸念される。さらに、パレットの外寸が規定されている場合には、折畳み容器側で大きさ等の調整を行う必要があり、上記のように、パレットに載置された折畳み容器の外側面が、パレットの外周面よりも内周側に位置する分だけ、折畳み容器を小さく構成することで、折畳み容器の容量が減少してしまうことも懸念される。
【００１０】
本発明は、上記例示した問題点等を解決するためになされたものであって、その目的は、折畳み容器をパレットに載置して運搬する場合の運搬効率の向上等を図ることのできる運搬ユニットを提供することにある。
【課題を解決するための手段】
【００１１】
以下、上記目的等を解決するのに適した各手段につき項分けして説明する。なお、必要に応じて対応する手段に特有の作用効果等を付記する。
【００１２】
手段１．平面視略矩形状をなす底壁部、及び、前記底壁部の各側辺部に沿ってそれぞれ上方に突出する土台部を具備する底壁構成部と、
前記底壁構成部の前記各土台部に対して、前記各土台部の上方に立設される起立位置と、前記底壁部の上方に寝かされる寝かせ位置との間を回動変位可能に連結された側壁部とを備える折畳み容器と、
複数の柱部と、前記複数の柱部の上端部間を連結する上デッキとを具備し、前記柱部、及び、前記上デッキの上面によって前記折畳み容器を載置可能な載置面が構成されるパレットと
を備える運搬ユニットにおいて、
前記パレットは、前記載置面の外周部から上方に突出し、前記載置面に載置された前記折畳み容器の脱落を防止するための外周突部を備え、
前記折畳み容器は、少なくとも全ての前記側壁部を前記起立位置とさせた組立状態にある前記折畳み容器同士を上下に積み重ね可能に構成され、
前記側壁部のうち少なくとも相対する一対の側壁部は、当該側壁部の上辺部から上方に突出し、当該側壁部の横幅方向に沿って延在する側壁側係止部を備え、
前記底壁部は、前記底壁部のうち前記組立状態にある前記折畳み容器同士を積み重ねた場合に下側の前記折畳み容器の前記側壁部の上辺部に当接して支持される部位である外周対応部よりも内周側の部位から下方に突出する支持部を備え、
前記底壁構成部は、前記側壁側係止部が設けられた前記側壁部と連結されている前記土台部の下方において、前記支持部との間に隙間が形成されるようにして前記外周対応部から下方に突出する底壁側係止部を備え、
前記組立状態にある前記折畳み容器同士を積み重ねた場合に、上側の前記折畳み容器の前記底壁側係止部と、前記支持部との間の隙間に、下側の前記折畳み容器の前記側壁側係止部が挿入される構成であって、
前記折畳み容器を前記パレットに載置した場合に、前記折畳み容器の前記底壁側係止部のうち、前記パレットの周方向において前記外周突部が設けられている範囲に対応して設置される前記底壁側係止部は、前記外周突部の上方に配置可能に構成されていることを特徴とする運搬ユニット。
【００１３】
手段１によれば、折畳み容器同士を上下に積み重ねる（段積みする）作業に際して、組立状態にある折畳み容器に対し、その上側に載せた折畳み容器の水平方向における相対位置が、側壁側係止部が設けられた側壁部の横幅方向においてずれた場合であっても、上側の折畳み容器の底壁側係止部と、支持部との間の隙間に、下側の折畳み容器の側壁側係止部が挿入された状態とされることにより、上側に載せた折畳み容器を、下側の折畳み容器の側壁部の上辺部に滑らせるようにして、相対位置が合致するまで比較的スムース、かつ、確実にスライドさせる（スライドスタックする）ことができる。
【００１４】
そして、本手段１によれば、底壁側係止部を具備する折畳み容器をパレットに載置した場合であっても、折畳み容器の底壁側係止部と、パレットの外周突部とを上下に配置することができ、パレットの外周突部の上方のスペースについても折畳み容器の設置スペースとして活用することができる。従って、折畳み容器をパレットに載置して運搬・保管する場合のスペース効率の向上等を図ることができる。
【００１５】
さらに、例えば、パレットの外寸が規定されている場合に、パレットに載置される折畳み容器の外側面がパレットの外周面よりも内周側に位置するよう折畳み容器を小さく構成することで、折畳み容器の容量が減少してしまうといった事態を回避することができる。従って、折畳み容器をパレットに載置して運搬する場合の運搬効率の向上を図ることができる。
【００１６】
加えて、パレットに載置された折畳み容器がパレットに対して水平方向に相対変位したとしても、底壁側係止部と、外周突部とが、水平方向において接触するといった事態が回避されるようになっている。このため、例えば、底壁側係止部の外側面と、外周突部の内周側面とが強く当ってしまうことにより、底壁側係止部が支持部側に変形したり、損傷したりしてしまうといった事態を回避することができる。
【００１７】
尚、底壁側係止部を、底壁部の外周縁よりも外周突部の厚み分だけ底壁部の内周側に変位した位置に設けることでも、外周突部の上方のスペースを折畳み容器の設置スペースとして利用することが可能となる。しかしながら、その場合、底壁側係止部の外側面を支持部側に寄せる必要があることから、外周対応部の幅を変更しない場合には、底壁側係止部が薄肉とされたり、底壁側係止部と支持部との間の隙間が狭くなることに起因して側壁側係止部が薄肉とされたりし、底壁側係止部や側壁側係止部の強度低下を招くことが懸念される。一方、外周対応部の幅を広くした場合には、底壁部の強度低下、或いは、土台部の厚みの増大に起因する折畳み容器の容量の減少等を招くことが懸念される。これに対し、本手段１のように、底壁側係止部を外周突部の上方に配置可能とすることにより、上記懸念を払拭することができ、底壁側係止部及び側壁側係止部の強度を確保しつつ、折畳み容器をパレットに載置して運搬・保管する場合のスペース効率の向上等を図ることができる。
【００１８】
尚、「前記折畳み容器を前記パレットに載置した場合に、前記折畳み容器の前記底壁側係止部のうち、前記パレットの周方向において前記外周突部が設けられている範囲に対応して設置される前記底壁側係止部は、前記外周突部の上面と対向し、当接、又は、近接可能に構成されていること」としてもよい。当該構成をする場合、上記手段１の作用効果が同様に奏される上、パレットに直接載置された折畳み容器に関し、底壁側係止部の上方に位置する土台部が外側（下側）に傾倒変位しようとしても、底壁側係止部の下面が、外周突部の上面に当接して支持されることから、かかる傾倒変位を防止することができる。
【００１９】
手段２．前記底壁構成部は、前記側壁側係止部が設けられた前記側壁部と連結されている前記土台部のうち、少なくとも下方位置に前記底壁側係止部が設けられている範囲において、前記土台部の内側面と、前記底壁部の上面との間を斜めに連結する傾斜壁を備えていることを特徴とする手段１に記載の運搬ユニット。
【００２０】
手段２によれば、側壁側係止部が設けられた側壁部と連結されている土台部が（特に外側に）傾倒変位したり、変形したりしてしまうといった事態を防止することができる。特に、傾斜壁は、底壁側係止部に対応する位置に設けられていることから、土台部の変位等に起因して底壁側係止部が正規の位置からずれしてしまう等といった事態をより確実に防止することができる。このため、土台部の外側への傾倒変位によって、底壁側係止部と、外周突部との相対位置がずれてしまう（例えば、水平方向において底壁側係止部と外周突部とが接触するようになってしまう等）といった事態を防止することができる。
【００２１】
手段３．前記底壁部は、前記傾斜壁の下端部に隣接する部位において、前記底壁部の一般部よりも厚みが大きい厚底部を備えていることを特徴とする手段２に記載の運搬ユニット。
【００２２】
手段３によれば、傾斜壁の変位や変形をより確実に防止し、ひいては、傾斜壁と連結されている土台部の変位や変形をより確実に防止することができる。従って、上記手段２の作用効果がより一層奏されることとなる。
【００２３】
手段４．前記パレットの前記載置面には、前記支持部の外周面のうち、前記側壁側係止部が設けられた前記側壁部と連結されている前記土台部に対応する部位である係止対応面に対して当接可能なパレット側ガタ止め突部が設けられ、
前記パレットに載置された前記折畳み容器の前記係止対応面と、前記パレットのパレット側ガタ止め突部とが当接状態とされることで、前記パレットに載置された前記折畳み容器の外側面と、前記パレットの外周面とが略面一とされることを特徴とする手段１乃至３のいずれかに記載の運搬ユニット。
【００２４】
手段４によれば、折畳み容器の外側面と、パレットの外周面とが略面一とされることで、パレットを使用して折畳み容器を運搬・保管する場合の安定性やスペース効率等の向上を図ることができる。また、折畳み容器の外側面と、パレットの外周面とを略面一とした場合に、折畳み容器の支持部の係止対応面と、パレットの外周突部との間に隙間が形成される構成であったとしても、パレット側ガタ止め突部によって折畳み容器の外側面が、前記パレットの外周面よりも外方に突出してしまうといった事態を防止することができる。さらに、例えば、係止対応面に対向し得る外周突部の厚みを大きくすることで、支持部の係止対応面と、パレットの外周突部との間の隙間をなくすといった構成に比べ、パレットの重量化、使用材料の増加等の抑制を図ることができる。
【図面の簡単な説明】
【００２５】
【図１】折畳み容器をパレットに載置して運搬する運搬ユニットの斜視図である。
【図２】組立状態にある折畳み容器の斜視図である。
【図３】折畳み状態にある折畳み容器の斜視図である。
【図４】折畳み容器の下面側を示す部分拡大斜視図である。
【図５】折畳み容器の一部断面を含む斜視図である。
【図６】底壁構成部の斜視図である。
【図７】組立状態にある折畳み容器を段積みした状態における、下側の折畳み容器の側壁部と、上側の折畳み容器の底壁構成部との位置関係を説明するための部分拡大斜視図である。
【図８】組立状態にある折畳み容器をスタッキングする際の、下側の折畳み容器の側壁部と、上側の折畳み容器の底壁構成部との位置関係を説明するための部分拡大斜視図である。
【図９】パレットの斜視図である。
【図１０】折畳み容器をパレットに載置した状態を示す一部断面を含む部分拡大斜視図である。
【図１１】折畳み容器をパレットに載置した状態を示す一部断面を含む部分拡大斜視図である。
【図１２】パレットのパレット側ガタ止め突部と、パレットに載置された折畳み容器の支持部との位置関係を説明するための一部断面を含む部分拡大斜視図である。
【図１３】パレットに載置された折畳み容器に蓋部材を被せた状態を示す斜視図である。
【発明を実施するための形態】
【００２６】
以下に、一実施形態について図面を参照して説明する。図１等に示すように、運搬ユニット１は、上方に開口する箱状をなすとともに、折畳み可能に構成された折畳み容器２と、折畳み容器２を載置可能なパレット３とを備えている。図２、図６に示すように、折畳み容器２は、平面視略矩形状をなす底壁部５と、底壁部５の各長辺部に沿って底壁部５からそれぞれ上方に突出する長辺側土台部６と、底壁部５の各短辺部に沿って底壁部５からそれぞれ上方に突出する短辺側土台部７とを具備する底壁構成部４を備えている。さらに、図２、図３に示すように、折畳み容器２は、各長辺側土台部６に対してそれぞれ回動可能に連結された長辺側側壁部８と、各短辺側土台部７に対してそれぞれ回動可能に連結された短辺側側壁部９とを備えている。本実施形態の底壁構成部４、長辺側側壁部８、及び、短辺側側壁部９は、ポリプロピレンにより構成されている。
【００２７】
長辺側側壁部８、及び、短辺側側壁部９は、それぞれ長辺側土台部６、及び、短辺側土台部７の上方に立設される起立位置と、底壁部５の中央部側に寝かされる寝かせ位置との間を回動変位可能に構成されている。また、図６に示すように、長辺側土台部６の底壁部５からの突出長は、短辺側土台部７の底壁部５からの突出長よりも長くなっており、長辺側側壁部８を回動可能に支持するための長辺側軸受部１１の形成位置も、短辺側側壁部９を回動可能に支持するための短辺側軸受部１２の形成位置よりも上方に位置している。さらに、図２に示すように、長辺側側壁部８の横幅は、底壁構成部４の長手幅とほぼ同じに構成され、短辺側側壁部９の横幅は、一対の長辺側土台部６間の距離とほぼ同じに構成されている。
【００２８】
このため、本実施形態では、全ての長辺側側壁部８、及び、短辺側側壁部９が起立位置とされた組立状態にある折畳み容器２を、全ての長辺側側壁部８、及び、短辺側側壁部９が寝かせ位置とされた折畳み状態とする場合には、一対の短辺側側壁部９を先に寝かせ位置へと変位させてから、長辺側側壁部８を寝かせ位置へと変位させる構成となっている。そして、折畳み容器２が折畳み状態とされた場合には、寝かせ位置とされた短辺側側壁部９が底壁部５の上方に重なるとともに、寝かせ位置とされた長辺側側壁部８が短辺側側壁部９の上方に重なるようになっている。
【００２９】
図５に示すように、長辺側側壁部８には、長辺側土台部６の長辺側軸受部１１に対して回動可能に連結される長辺側ヒンジ部１３が設けられている。長辺側ヒンジ部１３は、長辺側側壁部８の下辺部から下方に突出するヒンジ本体１４と、長辺側側壁部８の横幅方向におけるヒンジ本体１４の両側面の下端部から側方に突出する一対の軸部とを備えている。さらに、短辺側側壁部９には、短辺側土台部７の短辺側軸受部１２に対して回動可能に連結される短辺側ヒンジ部１６が設けられている。短辺側ヒンジ部１６についても、ヒンジ本体１７、及び、軸部（図示略）を備えている。
【００３０】
また、図２等に示すように、短辺側側壁部９の外面の両側部には、外方に突出する挿入突起２１が設けられている。これに対し、長辺側側壁部８には、内面の両側部から内方に突出する係止壁２２が設けられるとともに、係止壁２２において、折畳み容器２が組立状態とされた場合に、短辺側側壁部９の挿入突起２１が挿入される挿入孔部２３が設けられている。当該構成により、短辺側側壁部９の外側への傾倒変位が防止されるとともに、長辺側側壁部８と、短辺側側壁部９との間の上下方向における位置ずれが防止されるようになっている。
【００３１】
さらに、短辺側側壁部９の外面側には、短辺側側壁部９の内側への傾倒変位を防止するロック機構２４が設けられている。ロック機構２４は、長辺側側壁部８の各側辺部において出没可能に設けられた左右一対のスライド片２５を備え、折畳み容器２が組立状態とされた場合に、スライド片２５の先端部が、長辺側側壁部８の内面側に設けられた係止凹部（図示略）に挿入されるようになっている。加えて、ロック機構２４は、作業者が操作可能な操作部２６を備え、操作部２６の所定の操作を行うことで、左右一対のスライド片２５がともに係止凹部から抜け出した位置へと変位するようになっている。
【００３２】
また、図２等に示すように、各長辺側側壁部８、及び、各短辺側側壁部９の上部には、長辺側側壁部８及び短辺側側壁部９の厚み方向に貫通し、作業者が手を掛けることのできる持ち手部２７が設けられている。さらに、各持ち手部２７に対応して、各長辺側側壁部８、及び、各短辺側側壁部９の内面側に対し、各長辺側側壁部８、及び、各短辺側側壁部９の内面よりも内側に突出しないように装着され、持ち手部２７を閉塞する持ち手カバー２８が設けられている。持ち手カバー２８は弾性変形可能に構成され、作業者が持ち手部２７に指先を挿入する場合には内側に変形し、指先を持ち手部２７から外した場合に、自らの弾性力により持ち手部２７を閉塞する姿勢に戻るようになっている。
【００３３】
尚、一対の短辺側土台部７間の距離は、短辺側側壁部９の高さ（上下幅）の２倍の長さよりも長くなっている。このため、寝かせ位置とされた一対の短辺側側壁部９の高さが揃うようになっている。その一方で、一対の長辺側土台部６間の距離は、長辺側側壁部８の高さ（上下幅）の２倍の長さよりも短くなっている。このため、折畳み容器２を折畳む場合には、一対の長辺側側壁部８のうち一方の長辺側側壁部８を寝かせ位置へと変位させた後、他方の長辺側側壁部８を、既に寝かせ位置とされた一方の長辺側側壁部８の上方に重ねるようにして、寝かせ位置へと変位させる。つまり、一対の長辺側側壁部８は、互いに折り重なるようにして畳まれる。さらに、長辺側軸受部１１は、寝かせ位置にある長辺側側壁部８の長辺側ヒンジ部１３の上下方向における変位を許容するように構成されており、寝かせ位置とされた一対の長辺側側壁部８は、ともに略水平方向に延在するようになっている。
【００３４】
図９に示すように、パレット３は、パレット３の相対する一対の側辺部に沿って設けられる一対の側柱部３１と、パレット３の中央部を通るようにして、側柱部３１と平行して延在する中央柱部３２と、各側柱部３１、及び、中央柱部３２の上端部間を連結する上デッキ３３とを備えている。本実施形態では、側柱部３１、中央柱部３２、及び、上デッキ３３の上面によって折畳み容器２を載置可能な載置面３４が構成されている。加えて、各側柱部３１と中央柱部３２との間には、フォークリフトのフォークを差込み可能なフォーク差込み部３５が形成されている。本実施形態では、パレット３の外周面を構成する４つの側面のうち２つの側面からフォークを差込み可能な２方差しタイプのパレットとなっている。本実施形態のパレット３は、ポリプロピレンにより構成されている。
【００３５】
また、本実施形態のパレット３は、載置面３４の外周部から上方に突出し、載置面３４に載置された折畳み容器２の脱落を防止するための外周突部３６を備えている。本実施形態の外周突部３６は、載置面３４の外周部のうち、各側柱部３１に沿って延びる第１側辺部３４ａの全体にわたり設けられるとともに、一対の第１側辺部３４ａの端部間を連結する第２側辺部３４ｂのうち、各側柱部３１、及び、中央柱部３２の形成範囲に対応して、第２側辺部３４ｂの両端部付近の部位と、第２側辺部３４ｂの中央部を含む部位とに設けられている。
【００３６】
さて、図２等に示すように、折畳み容器２の各長辺側側壁部８は、当該長辺側側壁部８の上辺部のうち内側部位から上方に突出し、当該長辺側側壁部８の横幅方向に沿って延在する側壁側係止部４１を備えている。本実施形態の側壁側係止部４１は、長辺側側壁部８の横幅方向全体にわたって設けられている。さらに、側壁側係止部４１の上面は、短辺側側壁部９の上辺部と同じ高さとなっている。
【００３７】
また、図４、図５、図７に示すように、底壁部５は、略矩形板状の底板部４２と、底板部４２のうち、組立状態にある折畳み容器２同士を積み重ねた（段積みした）場合に、下側の折畳み容器２の長辺側側壁部８、及び、短辺側側壁部９の上辺部に当接して支持される部位である外周対応部４３（底壁部５のうち上面側において長辺側土台部６及び短辺側土台部７が形成されている部位）よりも内周側の部位から下方に突出する支持部４４とを備えている。支持部４４は、底板部４２から下方に突出するリブが下面視で格子状に設けられることで構成されている。また、図５等に示すように、本実施形態の底板部４２のうち外周対応部４３は、その内周側の部位よりも上方に位置するようにして設けられている。尚、図７（及び、後出の図８）では、便宜上、上側の折畳み容器２の側壁部８、９の図示を省略している。
【００３８】
さらに、図４、図７等に示すように、底壁構成部４は、長辺側側壁部８と連結されている長辺側土台部６の下方において、支持部４４との間に隙間が形成されるようにして外周対応部４３から下方に突出する底壁側係止部４５を備えている。図２に示すように、本実施形態では、底壁側係止部４５は、底壁部５の長側辺部の両端部近傍にそれぞれ設けられるとともに、底壁構成部４の外周面と面一となるように底壁部５の長側辺部に沿って設けられている。そして、図７に示すように、組立状態にある折畳み容器２を段積みした場合に、上側の折畳み容器２の底壁側係止部４５と、支持部４４との間の隙間に、下側の折畳み容器２の側壁側係止部４１が挿入されるように構成されている。
【００３９】
当該構成により、組立状態にある折畳み容器２の段積み状態において、下側の折畳み容器２の長辺側側壁部８が折畳み容器２の内外周方向に傾倒変位したり、変形したりすることが抑止される。また、折畳み容器２を段積みする作業に際して、組立状態にある折畳み容器２に対し、その上側に載せた折畳み容器２の水平方向における相対位置が、側壁側係止部４１が設けられた長辺側側壁部８の横幅方向においてずれた場合であっても（あえて、ずらして載せる場合もある）、図８に示すように、上側の折畳み容器２の底壁側係止部４５と、支持部４４との間の隙間に、下側の折畳み容器２の側壁側係止部４１が挿入された状態とされる。これにより、上側に載せた折畳み容器２を、下側の折畳み容器２の長辺側側壁部８の上辺部に滑らせるようにして、相対位置が合致するまでスライドさせる（スライドスタックする）ことができる。
【００４０】
尚、図４、図８等に示すように、本実施形態の底壁構成部４は、外周対応部４３のうち長辺側土台部６の下方に位置する部位から下方に突出するスライド補助突起４６を備えている。スライド補助突起４６は、各底壁側係止部４５よりも底壁部５の長側辺部の中央部側に位置するようにして一対で設けられている。折畳み容器２をスライドスタックさせる際には、少なくとも上側の折畳み容器２のスライド補助突起４６が、下側の折畳み容器２の側壁側係止部４１の上面に当接状態とされる（摺接する）ようになっている。また、図２、図８に示すように、長辺側側壁部８の上辺部には、組立状態にある折畳み容器２を段積みした場合に、上側の折畳み容器２のスライド補助突起４６が収容される収容凹部４７が設けられている。このため、組立状態にある折畳み容器２の段積みが完了した場合には、図７に示すように、上側の折畳み容器２のスライド補助突起４６と、下側の折畳み容器２の側壁側係止部４１の上面とが当接する状態が解消され、長辺側側壁部８の横幅方向全域にわたり、下側の折畳み容器２の側壁側係止部４１の上面と、上側の折畳み容器２の底壁部５（外周対応部４３）とが当接する、さらには、上側の折畳み容器２の全ての底壁側係止部４５の内側面が、下側の折畳み容器２の側壁側係止部４１の外側面と当接、又は、近接するようになっている。
【００４１】
加えて、図４等に示すように、底壁構成部４には、外周対応部４３のうち各短辺側土台部７に対応する部位からそれぞれ下方に突出し、支持部４４と連結されている底壁側ガタ止め突部４８が設けられている。本実施形態では、底壁側ガタ止め突部４８は、底壁部５の各短辺側に対応して２つずつ設けられている。尚、本実施形態の底壁側ガタ止め突部４８の外面は、底壁構成部４の外面（短辺側土台部７の外面）と面一とされている。また、図２等に示すように、短辺側側壁部９の上辺部には、組立状態の折畳み容器２を段積みした場合に、底壁側ガタ止め突部４８の挿入を許容する段積み時ガタ止め許容凹部４９が設けられている。
【００４２】
さらに、図１に示すように、本実施形態のパレット３には、側柱部３１及び中央柱部３２（フォーク差込み部３５）の延在方向に対して折畳み容器２の長手方向が直交するような向きとして、折畳み容器２を３つ横並びで載置可能に構成されている。また、図９に示すように、パレット３の載置面３４には、載置面３４の第２側辺部３４ｂの両端部付近の位置（各側柱部３１の両端部に対応する位置）において、上方に突出し、外周突部３６の内周側面と連結されているパレット側ガタ止め突部５１が設けられている。
【００４３】
そして、折畳み容器２をパレット３に載置した状態では、図１１に示すように、折畳み容器２の底壁構成部４の底壁側ガタ止め突部４８が、外周突部３６のうち載置面３４の第１側辺部３４ａに対応する部位の内周側面に当接又は近接するように構成されている。これにより、折畳み容器２の長手方向における折畳み容器２と、パレット３との相対変位が防止される。
【００４４】
また、図１２に示すように、３つ横並びで設けられた折畳み容器２のうち両側方の折畳み容器２における支持部４４の外周面のうち長辺側土台部６に対応する部位である係止対応面５２に対して、それぞれパレット側ガタ止め突部５１が当接又は近接するように構成されている。尚、本実施形態の底壁構成部４には、係止対応面５２を凹ませるような格好で、パレット側ガタ止め突部５１の先端部側を収容可能とする底壁側ガタ止め凹部５３が設けられている。そして、当該底壁側ガタ止め凹部５３の内側において、パレット側ガタ止め突部５１の先端部と、係止対応面５２とが当接又は近接するようになっている。このように、パレット３に対して上記のように載置された折畳み容器２の係止対応面５２と、パレット３のパレット側ガタ止め突部５１とが当接状態とされることで、パレット３に載置された折畳み容器２の長辺側の外側面（長辺側側壁部８の外面、及び、長辺側土台部６を含む底壁構成部４の短辺側の外面）と、パレット３の外周面とが略面一とされるようになっている。
【００４５】
さらに、図１、図１０に示すように、折畳み容器２をパレット３に載置した場合に、底壁側係止部４５は、外周突部３６の上方に配置可能に構成されている。特に、本実施形態では、上下方向における底壁側係止部４５と、支持部４４下面との間の距離は、外周突部３６の載置面３４からの突出長とほぼ同じ（或いは、外周突部３６の突出長よりも若干長い）に構成されており、外周突部３６の上方に配置された底壁側係止部４５は、外周突部３６の上面に対して当接、又は、近接するように構成されている。尚、図４等に示すように、本実施形態の底壁構成部４は、一対のスライド補助突起４６の間、及び、各スライド補助突起４６と、当該各スライド補助突起４６から底壁部５の長側辺部の両端部側へ所定距離離れた位置との間において、外周対応部４３から下方へ突出する補助脚部５４を備えている。補助脚部５４は、底壁側係止部４５と同様に底壁部５の長側辺部に沿って設けられるとともに、外周対応部４３から下方への突出長、及び、厚みが底壁側係止部４５と同じとなっている。組立状態にある折畳み容器２を段積みした場合には、図７に示すように、上側の折畳み容器２の補助脚部５４は、底壁側係止部４５と同様に、下側の折畳み容器２の側壁側係止部４１の外側面と当接、又は、近接する。さらに、折畳み容器２をパレット３に載置した場合には、図１０等に示すように、補助脚部５４は、底壁側係止部４５と同様に、パレット３の外周突部３６の上面と当接、又は、近接するように構成されている。加えて、折畳み容器２をパレット３に載置した場合に、スライド補助突起４６に関しては、図１に示すように、パレット３の外周突部３６が設けられていない範囲に相対配置されるようになっている。
【００４６】
また、図５、図６、図１０に示すように、底壁構成部４は、底壁部５の長手方向両端部、及び、中央部に対応する部位において、各長辺側土台部６と、底壁部５（底板部４２）との間を斜めに連結する傾斜壁６１を備えている。底壁部５の長手方向において、傾斜壁６１が設けられている範囲には、底壁側係止部４５が設けられている。さらに、折畳み容器２をパレット３に対して上記のように載置した状態では、傾斜壁６１が設けられている範囲に、パレット３の載置面３４の第２側辺部３４ｂに設けられた外周突部３６、並びに、各側柱部３１、及び、中央柱部３２が設けられている。尚、底壁部５の長側辺部の両側部の傾斜壁６１と、中央の傾斜壁６１との間の傾斜壁６１が設けられていない範囲（但し、本例では、かかる範囲においても、傾斜壁６１に比べると底壁部５の内周側への突出長が抑えられているが、長辺側土台部６の内面の下部が傾斜している）に、寝かせ位置とされた短辺側側壁部９の両側部が配置されるように構成されている。
【００４７】
さらに、図５に示すように、底壁部５は、傾斜壁６１の下端部に隣接する部位において、底壁部５の一般部５ａよりも厚みが大きい厚底部６２を備えている。本実施形態では、底壁部５の短手方向において対向する傾斜壁６１間を連結するようにして厚底部６２が設けられている。尚、厚底部６２は、該当箇所の底板部４２を上方に位置させるとともに、底板部４２が上方に位置した分、支持部４４を上方に延長させることで構成されている。
【００４８】
また、図１３に示すように、本実施形態では、パレット３に対して３つ横並びで載置された折畳み容器２に対して、３つの折畳み容器２の上方を一辺に覆うことのできる蓋部材６３を装着可能に構成されている。蓋部材６３は、平面視略矩形状の天壁部６４と、天壁部６４の外周縁から下方に突出する略四角枠状の外周壁部６５とを備えている。そして、パレット３に対して３つ横並びで載置された組立状態にある折畳み容器２に対し蓋部材６３を被せた場合に、パレット３の載置面３４の第２側辺部３４ｂの上方に位置する長辺側側壁部８の側壁側係止部４１の外側面に対して蓋部材６３の外周壁部６５が当接、又は、近接するように構成されている。上記のように、本実施形態では、側壁側係止部４１が長辺側側壁部８の横幅方向全体にわたり設けられており、蓋部材６３の外周壁部６５を、側壁側係止部４１の外方、かつ、長辺側側壁部８の上辺部の上方に位置させることができる。特に、本実施形態では、パレット３に載置された折畳み容器２の長辺側側壁部８の外面、折畳み容器２に被せられた蓋部材６３の外周壁部６５の外面、及び、パレット３の外周面が略面一とされるようになっている。
【００４９】
加えて、蓋部材６３の上面側には、パレット３の側柱部３１、及び、中央柱部３２の下部をそれぞれ嵌入可能とする蓋側段積み凹部６６が設けられている。これにより、パレット３に折畳み容器２を載置して、折畳み容器２に蓋部材６３を被せたユニット同士を上下に積み重ねる（段積みする）ことが可能となる。尚、本実施形態の蓋部材６３はポリプロピレンにより構成されている。
【００５０】
以上詳述したように、本実施形態によれば、折畳み容器２を段積みする作業に際して、比較的スムース、かつ、確実にスライドスタックさせるための構成である底壁側係止部４５を具備する折畳み容器２をパレット３に載置した場合であっても、折畳み容器２の底壁側係止部４５と、パレット３の外周突部３６とを上下に配置することができる。従って、パレット３の外周突部３６の上方のスペースについても折畳み容器２の設置スペースとして活用することができ、結果として、折畳み容器２をパレット３に載置して運搬・保管する場合のスペース効率の向上等を図ることができる。
【００５１】
さらに、例えば、パレット３の外寸が規定されている場合に、パレット３の外周突部３６の上方のスペースを折畳み容器２の設置スペースとして利用できないことに起因して、パレット３に載置された折畳み容器２の外側面が、パレット３の外周面よりもパレット３の内周側に位置する分だけ、折畳み容器２を小さく構成することで、折畳み容器２の容量が減少してしまうといった事態を回避することができる。従って、折畳み容器２をパレット３に載置して運搬する場合の運搬効率の向上を図ることができる。
【００５２】
加えて、パレット３に載置された折畳み容器２がパレット３に対して水平方向に相対変位したとしても、底壁側係止部４５と、外周突部３６とが、水平方向において接触するといった事態が回避されるようになっている。このため、例えば、底壁側係止部４５の外側面と、外周突部３６の内周側面とが当接する場合のように、底壁側係止部４５と外周突部３６とが圧接し、底壁側係止部４５が支持部４４側に変形したり、損傷したりしてしまうといった事態を回避することができる。
【００５３】
尚、底壁側係止部４５を、底壁部５の外周縁よりも外周突部３６の厚み分だけ底壁部５の内周側に変位した位置に設けることでも、外周突部３６の上方のスペースを折畳み容器２の設置スペースとして利用することが可能となる。しかしながら、その場合、底壁側係止部４５の外側面を支持部４４側に寄せる必要があることから、外周対応部４３の幅を変更しない場合には、底壁側係止部４５が薄肉とされたり、底壁側係止部４５と支持部４４との間の隙間が狭くなることに起因して側壁側係止部４１が薄肉とされたりし、底壁側係止部４５や側壁側係止部４１の強度低下を招くことが懸念される。一方、外周対応部４３の幅を広くしてしまった場合には、底壁部５の強度低下、或いは、長辺側土台部６等の厚みの増大に起因する折畳み容器２の容量の減少等を招くことが懸念される。これに対し、本実施形態のように、底壁側係止部４５を外周突部３６の上方に配置可能とすることにより、上記懸念を払拭することができ、底壁側係止部４５及び側壁側係止部４１の強度を確保しつつ、折畳み容器２をパレット３に載置して運搬・保管する場合のスペース効率の向上等を図ることができる。
【００５４】
また、本実施形態では、折畳み容器２をパレット３に載置した場合に、折畳み容器２の底壁側係止部４５は、パレット３の外周突部３６の上面と対向し、当接、又は、近接するように構成されている。このため、パレット３に直接載置された折畳み容器２に関し、底壁側係止部４５の上方に位置する長辺側土台部６が外側（下側）に傾倒変位しようとしても、底壁側係止部４５の下面が、外周突部３６の上面に当接して支持されることから、かかる傾倒変位を防止することができる。
【００５５】
さらに、本実施形態では、長辺側土台部６の内側面と、底壁部５の上面との間を斜めに連結する傾斜壁６１が設けられている。このため、側壁側係止部４１が設けられた長辺側側壁部８と連結されている長辺側土台部６が（特に外側に）傾倒変位したり、変形したりしてしまうといった事態を防止することができる。特に、傾斜壁６１は、長辺側土台部６のうち、少なくとも下方位置に底壁側係止部４５が設けられている範囲に設けられていることから、長辺側土台部６の変位等に起因して底壁側係止部４５が正規の位置からずれしてしまう等といった事態をより確実に防止することができる。このため、長辺側土台部６の外側への傾倒変位によって、底壁側係止部４５と、外周突部３６との相対位置がずれてしまう（例えば、水平方向において底壁側係止部４５と外周突部３６とが接触するようになってしまう等）といった事態を防止することができる。従って、折畳み容器２をパレット３に載置した状態の安定化や、底壁側係止部４５等の耐久性の向上等を図ることができる。
【００５６】
加えて、本実施形態の底壁部５は、傾斜壁６１の下端部に隣接する部位において厚みが大きい厚底部６２を備えている。このため、傾斜壁６１の変位や変形をより確実に防止し、ひいては、傾斜壁６１と連結されている長辺側土台部６の変位や変形をより確実に防止することができる。従って、折畳み容器２をパレット３に載置した状態の安定化や、底壁側係止部４５の耐久性の向上等を図るといった作用効果がより一層奏されることとなる。
【００５７】
また、パレット３の載置面３４には、支持部４４の外周面のうち長辺側土台部６に対応する部位である係止対応面５２に対して当接可能なパレット側ガタ止め突部５１が設けられ、パレット３に載置された折畳み容器２の係止対応面５２と、パレット３のパレット側ガタ止め突部５１とが当接状態とされることで、パレット３に載置された折畳み容器２の長辺側側壁部８の外側面と、パレット３の外周面とが略面一とされるように構成されている。このように、折畳み容器２の長辺側側壁部８の外側面と、パレット３の外周面とが略面一とされることで、パレット３を使用して折畳み容器２を運搬・保管する場合の安定性やスペース効率等の向上を図ることができる。また、折畳み容器２の外側面と、パレット３の外周面とを略面一とした場合に、折畳み容器２の支持部４４の係止対応面５２と、パレット３の外周突部３６との間に隙間が形成される構成であったとしても、パレット側ガタ止め突部５１によって折畳み容器２の外側面が、パレット３の外周面よりも外方に突出してしまうといった事態を防止することができる。さらに、例えば、係止対応面５２に対向し得る外周突部３６の厚みを大きくすることで、支持部４４の係止対応面５２と、パレット３の外周突部３６との間の隙間をなくすといった構成に比べ、パレット３の重量化、使用材料の増加等の抑制を図ることができる。
【００５８】
尚、上記実施形態の記載内容に限定されず、例えば次のように実施してもよい。勿論、以下において例示しない他の応用例、変更例も当然可能である。
【００５９】
（ａ）上記実施形態では、長辺側土台部６と、底壁部５の上面との間を連結する傾斜壁６１が設けられるとともに、傾斜壁６１に隣接する底壁部５において厚底部６２が設けられているが、一方又は両方を省略することとしてもよい。加えて、上記実施形態の厚底部６２は、相対する一対の長辺側土台部６の間を連結するようにして延在しているが、傾斜壁６１付近にのみ設けられることとしてもよい。
【００６０】
（ｂ）上記実施形態において、底壁部５の支持部４４に設けられた底壁側ガタ止め凹部５３を省略し、パレット側ガタ止め突部５１の先端部を支持部４４の外周面に直接当接可能としてもよい。但し、底壁側ガタ止め凹部５３が設けられていることにより、パレット側ガタ止め突部５１によっても折畳み容器２の長手方向における位置ずれを防止可能に構成されている上、パレット３に対して折畳み容器２を上記実施形態とは異なる向きで載置しようとしても、パレット側ガタ止め突部５１が底壁側ガタ止め凹部５３に挿入されないことから、折畳み容器２の載置の向きの間違えを防止することができる。
【００６１】
また、パレット側ガタ止め突部５１を省略することも可能である。但し、外周突部３６のうち、パレット３の載置面３４の第２側辺部３４ｂ（フォーク差込み部３５の開口側の側辺部）に沿って設けられた部位の厚みを厚くすることなく、パレット３に載置された折畳み容器２の短手方向における位置ずれを防止するべく、パレット側ガタ止め突部５１を設けることが望ましい。
【００６２】
さらに、底壁側ガタ止め突部４８を省略する代わりに、支持部４４の外周面のうち短辺側土台部７に対応する部位に当接可能なパレット側ガタ止め突部を設けることとしてもよい。尚、底壁側ガタ止め突部４８に関しては、支持部４４との間に隙間を形成する必要がなく、底壁部５の内外周方向における厚みを十分に確保することができることから、底壁側ガタ止め突部４８の強度を確保しつつ、例えば、底壁側ガタ止め突部４８の外側面のうち、パレット３の外周突部３６の内周側面と対向（当接）し得る部位を、底壁部５の短側辺部よりも（外周突部３６の厚み分だけ）底壁部５の内周側に位置させることも可能である。この場合、折畳み容器２をパレット３に載置した場合に、底壁構成部４の短辺側の外面と、パレット３の外周面とを略面一とすることもできる。
【００６３】
（ｃ）上記実施形態では、折畳み容器２に蓋部材６３を被せた場合に、蓋部材６３の外周壁部６５が、長辺側側壁部８の外面よりも外方に突出しないようにするために、長辺側側壁部８の横幅方向全体にわたって側壁側係止部４１を設けることとしているが、折畳み容器２の段積みが完了する前にスライドスタックが途中で規制されてしまうといった事態を回避可能に構成されていればよい。例えば、側壁側係止部４１は、折畳み容器２を段積みした場合に、上側の折畳み容器２の底壁側係止部４５のうち長辺側側壁部８の両側辺部にそれぞれ近い一対の底壁側係止部４５が配置される部位の間の範囲に連続して設けられていることとしてもよい。
【００６４】
（ｄ）上記実施形態では、長辺側側壁部８に側壁側係止部４１が設けられ、底壁部５の外周対応部４３のうち長辺側土台部６の下方に位置する部位に底壁側係止部４５が設けられているが、かかる構成に代えて、或いは、加えて、短辺側側壁部９に側壁側係止部４１が設けられ、底壁部５の外周対応部４３のうち短辺側土台部７の下方に位置する部位に底壁側係止部４５が設けられていることとしてもよい。また、上記実施形態では、一対の短辺側側壁部９を先に寝かせ位置とした後、一対の長辺側側壁部８を寝かせ位置とするように構成されているが、一対の長辺側側壁部８を先に寝かせ位置とした後、一対の短辺側側壁部９を寝かせ位置とするような構成としてもよい。さらに、上記実施形態では、寝かせ位置とされた一対の短辺側側壁部９の高さ位置が揃っている一方で、寝かせ位置とされた一対の長辺側側壁部８同士が上下に重なり合うように構成されているが、例えば、寝かせ位置とされた短辺側側壁部９同士が上下に重なり合うように構成してもよいし、寝かせ位置とされた長辺側側壁部８の高さ位置が揃うように構成してもよい。
【００６５】
（ｅ）上記実施形態において、底壁側係止部４５を底壁部５の長側辺部の中央部側に延長させるような格好で、補助脚部５４と連結されるように構成してもよい。尚、補助脚部５４は、底壁側係止部４５と同様に底壁部５の長側辺部に沿って設けられるとともに、外周対応部４３から下方への突出長が底壁側係止部４５と同じとなっている。このような構成を採用する場合、折畳み容器２をパレット３に載置した状態において、折畳み容器２の底壁側係止部４５と、パレット３の外周突部３６とが上下に当接し得る面積を増加させることができる。従って、折畳み容器２をパレット３に載置した状態の安定化や、底壁側係止部４５等の耐久性の向上等を図るといった作用効果がより一層奏される。尚、本実施形態の底壁側係止部４５は、基本的に、折畳み容器２をスライドスタックさせる際に下側の折畳み容器２の側壁側係止部４１の外面側に略係止状態とされる部位（スライドスタックの安定化に寄与する部位）を意図している。
【００６６】
（ｆ）上記実施形態のパレット３は、一対の側柱部３１と、中央柱部３２とを備える２方差しタイプのパレットとなっているが、パレットの四隅に設けられる４本の隅柱と、パレットの側辺部に沿って並ぶ一対の隅柱の中間部位に設けられる中間柱と、パレットの中央部に設けられる中央柱とを備え、パレットの外周面を構成する４つの側面からフォークを差込み可能な４方差しタイプのパレットに適応することも可能である。
【００６７】
また、パレット３の載置面３４の外周に沿って設けられる外周突部３６の形成範囲については特に限定されるものではなく、パレット３に載置された折畳み容器２の脱落を防止可能となっていればよい。例えば、折畳み容器２のスライド補助突起４６を省略することとし、載置面３４の外周全体に外周突部３６を設けることとしてもよい。
【００６８】
（ｇ）上記実施形態の折畳み容器２、パレット３、及び、蓋部材６３はポリプロピレンにより構成されているが、ポリエチレン、ＰＥＴ、ポリアミド等その他の樹脂材料により構成されることとしてもよい。
【符号の説明】
【００６９】
１…運搬ユニット、２…折畳み容器、３…パレット、４…底壁構成部、５…底壁部、５ａ…一般部、６…長辺側土台部、７…短辺側土台部、８…長辺側側壁部、９…短辺側側壁部、１１…長辺側軸受部、１２…短辺側軸受部、３１…側柱部、３２…中央柱部、３３…上デッキ、３４…載置面、３６…外周突部、４１…側壁側係止部、４３…外周対応部、４４…支持部、４５…底壁側係止部、５１…パレット側ガタ止め突部、６１…傾斜壁、６２…厚底部。
【図１】
2019085155.tif 000003
【図２】
2019085155.tif 000004
【図３】
2019085155.tif 000005
【図４】
2019085155.tif 000006
【図５】
2019085155.tif 000007
【図６】
2019085155.tif 000008
【図７】
2019085155.tif 000009
【図８】
2019085155.tif 000010
【図９】
2019085155.tif 000011
【図１０】
2019085155.tif 000012
【図１１】
2019085155.tif 000013
【図１２】
2019085155.tif 000014
【図１３】
2019085155.tif 000015